(57)【特許請求の範囲】
【請求項１】
１列に配列された複数の作業機を備え、前記複数の作業機の上流側に配置されたものから下流側に配置されたものにわたって搬送される回路基板に対して作業を実行する対基板作業システムを複数備え、それら複数の対基板作業システムの各々の作業機の台数の入力を受け付ける台数受付部と、
前記台数受付部が受け付けた前記複数の対基板作業システムの各々の台数の作業機に、固有のコードである固有コードを決定する決定部と
を備えた情報処理装置。
【請求項２】
前記固有コードが、作業機毎の固有番号であり、
前記情報処理装置が、
前記台数受付部が受け付けた前記複数の対基板作業システムの各々の最も上流側の作業機である最上流側作業機の番号の入力を受け付ける番号受付部を備え、
前記決定部が、
前記台数受付部が受け付けた前記複数の対基板作業システムの各々の最上流側作業機の前記固有番号を、その各々の前記対基板作業システムの最上流側作業機に対して前記番号受付部が受け付けた番号に決定し、前記複数の対基板作業システムの各々の最上流側作業機の下流側の作業機の前記固有番号を、その各々の前記対基板作業システムの最上流側作業機に対して前記番号受付部が受け付けた番号より順次大きくなる番号に決定することを特徴とする請求項１に記載の情報処理装置。
【請求項３】
さらに表示装置を備え、
前記台数受付部が受け付けた作業機の台数の情報に基づいて、前記複数の対基板作業システムを構成する前記作業機に関する情報を、ツリー形式で前記表示装置に表示する請求項１または２に記載の情報処理装置。
【請求項４】
請求項１または請求項２に記載の台数受付部が受け付けた台数の作業機を備える対基板作業システムであって、
前記対基板作業システムの備える複数の作業機の各々が、表示装置を有し、
それら複数の作業機の各々の前記表示装置が、
その各々の作業機に対して請求項１または請求項２に記載の決定部が決定した前記固有コードを表示することを特徴とする対基板作業システム。
【請求項５】
１列に配列された複数の作業機を備え、前記複数の作業機の上流側に配置されたものから下流側に配置されたものにわたって搬送される回路基板に対して作業を実行する対基板作業システムの作業機の台数の入力を受け付ける台数受付部と、
前記台数受付部が受け付けた台数の作業機毎に、固有のコードである固有コードを決定する決定部と
を備え、
前記台数受付部が、
前記対基板作業システムの複数の作業機が複数の群に区分けされた状態で、それら複数の群毎の作業機の台数の入力を受け付けることを特徴とする情報処理装置。
【請求項６】
前記固有コードが、作業機毎の固有番号であり、
前記情報処理装置が、
前記台数受付部が受け付けた前記複数の群毎の最も上流側の作業機である最上流側作業機の番号の入力を受け付ける番号受付部を備え、
前記決定部が、
前記台数受付部が受け付けた複数の群の各々の最上流側作業機の前記固有番号を、その各々の群の最上流側作業機に対して前記番号受付部が受け付けた番号に決定し、前記複数の群の各々の最上流側作業機の下流側の作業機の前記固有番号を、その各々の群の最上流側作業機に対して前記番号受付部が受け付けた番号より順次大きくなる番号に決定することを特徴とする請求項５に記載の情報処理装置。
【請求項７】
請求項５または請求項６に記載の台数受付部が受け付けた台数の作業機を備える対基板作業システムであって、
前記対基板作業システムの備える複数の作業機の各々が、表示装置を有し、
それら複数の作業機の各々の前記表示装置が、
その各々の作業機に対して請求項５または請求項６に記載の決定部が決定した前記固有コードを表示することを特徴とする対基板作業システム。
【発明の詳細な説明】
【技術分野】
【０００１】
本発明は、１列に配列された複数の作業機を備え、それら複数の作業機の上流側に配置されたものから下流側に配置されたものにわたって搬送される回路基板に対して作業を実行する対基板作業システム等に関するものである。
【背景技術】
【０００２】
対基板作業システムは、１列に配列された複数の作業機を備え、それら複数の作業機の上流側に配置されたものから下流側に配置されたものにわたって、回路基板が搬送され、その回路基板に対して作業が実行される。回路基板に対する作業時には、各作業機において、回路基板に対する作業時に必要な部品等の不足，各作業機での作業エラー等が発生するため、そのような場合に、作業者はエラー等の発生した作業機に対して所定の作業を行う必要がある。しかしながら、対基板作業システムは比較的多くの作業機によって構成されているため、多くの作業機の中から所定の作業機を見つけることは、困難である。このため、下記特許文献に記載されているように、多くの作業機の中から所定の作業機を特定するための技術が開発されている。
【先行技術文献】
【特許文献】
【０００３】
【特許文献１】特開２００４−２８１７１７号公報
【特許文献２】特開２０１３−２１４７５４号公報
【発明の概要】
【発明が解決しようとする課題】
【０００４】
上記特許文献によれば、多くの作業機の中から所定の作業機を、ある程度、特定することが可能となるが、容易、かつ、確実に、多くの作業機の中から所定の作業機を特定することが望まれている。本発明は、そのような実情に鑑みてなされたものであり、本発明の課題は、容易、かつ、確実に、多くの作業機の中から所定の作業機を特定することである。
【課題を解決するための手段】
【０００５】
上記課題を解決するために、本発明の情報処理装置は、１列に配列された複数の作業機を備え、前記複数の作業機の上流側に配置されたものから下流側に配置されたものにわたって搬送される回路基板に対して作業を実行する対基板作業システムを複数備え、それら複数の対基板作業システムの各々の作業機の台数の入力を受け付ける台数受付部と、前記台数受付部が受け付けた前記複数の対基板作業システムの各々の台数の作業機に、固有のコードである固有コードを決定する決定部とを備えたことを特徴とする。また、本発明の情報処理装置は、１列に配列された複数の作業機を備え、前記複数の作業機の上流側に配置されたものから下流側に配置されたものにわたって搬送される回路基板に対して作業を実行する対基板作業システムの作業機の台数の入力を受け付ける台数受付部と、前記台数受付部が受け付けた台数の作業機毎に、固有のコードである固有コードを決定する決定部とを備え、前記台数受付部が、前記対基板作業システムの複数の作業機が複数の群に区分けされた状態で、それら複数の群毎の作業機の台数の入力を受け付けることを特徴とする。
【０００６】
上記課題を解決するために、本発明の対基板作業システムは、前記台数受付部が受け付けた台数の作業機を備える対基板作業システムであって、前記対基板作業システムの備える複数の作業機の各々が、表示装置を有し、それら複数の作業機の各々の前記表示装置が、その各々の作業機に対して前記決定部が決定した前記固有コードを表示することを特徴とする。
【発明の効果】
【０００７】
本発明の情報処理装置では、対基板作業システムの作業機の台数が、入力され、その入力された台数の作業機毎に、固有のコードである固有コードが決定される。また、本発明の対基板作業システムでは、各作業機が表示装置を有しており、各作業機の表示装置に、各作業機に応じた固有コードが表示される。これにより、作業者は、多くの作業機の中から所定の作業機を、容易、かつ、確実に特定することが可能となる。
【図面の簡単な説明】
【０００８】
【図１】対基板作業システムを示す概略図である。
【図２】作業機を示す平面図である。
【図３】管理システムを示すブロック図である。
【図４】対基板作業システムを構成する作業機に関する情報がＰＣのディスプレイに表示された画面を示す図である。
【図５】図４に示す画面に決定されたＩＤナンバーが表示された状態を示す図である。
【図６】図４に示す画面に最上流側作業機のＩＤナンバーが入力された状態を示す図である。
【図７】図４に示す画面に決定されたＩＤナンバーが表示された状態を示す図である。
【発明を実施するための形態】
【０００９】
以下、本発明を実施するための形態として、本発明の実施例を、図を参照しつつ詳しく説明する。
【００１０】
＜電子部品装着装置の構成＞
図１に、対基板作業システム１０，１２，１４を示す。対基板作業システム１０，１２，１４は、回路基板に電子部品を実装するためのシステムである。対基板作業システム１０は、８台の作業機２０と８台の作業機２２とから構成されている。８台の作業機２０は、１列に並んで、隣接して配設されており、それら８台の作業機２０の最も下流側のものに連結された状態で、８台の作業機２２が、１列に並んで、隣接して配設されている。また、対基板作業システム１２は、８台の作業機２０と７台の作業機２２と１台のコンベア装置２６とから構成されている。８台の作業機２０のうちの４台の作業機２０は、１列に並んで、隣接して配設されており、それら４台の作業機２０の最も下流側のものに、コンベア装置２６を介して、連結された状態で、残りの４台の作業機２０が、１列に並んで、隣接して配設されている。さらに、それら残りの４台の作業機２０の最も下流側のものに連結された状態で、７台の作業機２２が、１列に並んで、隣接して配設されている。また、対基板作業システム１４は、１４台の作業機２０から構成されており、それら１４台の作業機２０は、１列に並んで、隣接して配設されている。なお、以下の説明では、作業機２０，２２の並ぶ方向をＸ軸方向と称し、その方向に直角な水平の方向をＹ軸方向と称する。
【００１１】
作業機２０と作業機２２とは、互いに回路基板に電子部品を装着する作業機であり、単に、形式等の種類が異なるだけである。このため、作業機２０と作業機２２とは、互いに略同じ構成要素を有していることから、作業機２０を代表して説明する。作業機２０は、図２に示すように、搬送装置３０、装着ヘッド移動装置（以下、「移動装置」と略す場合がある）３２、装着ヘッド３４、供給装置３６を備えている。
【００１２】
搬送装置３０は、Ｘ軸方向に延びる１対のコンベアベルト３８と、コンベアベルト３８を周回させる電磁モータ（図示省略）とを有している。回路基板４０は、それら１対のコンベアベルト３８によって支持され、電磁モータの駆動により、Ｘ軸方向に搬送される。また、搬送装置３０は、基板保持装置（図示省略）を有している。基板保持装置は、コンベアベルト３８によって支持された回路基板４０を、所定の位置（図２での回路基板４０が図示されている位置）において固定的に保持する。
【００１３】
移動装置３２は、Ｘ軸方向スライド機構５０とＹ軸方向スライド機構５２とによって構成されている。Ｘ軸方向スライド機構５０は、Ｘ軸方向に移動可能にベース５４上に設けられたＸ軸スライダ５６を有している。そのＸ軸スライダ５６は、電磁モータ（図示省略）の駆動により、Ｘ軸方向の任意の位置に移動する。また、Ｙ軸方向スライド機構５２は、Ｙ軸方向に移動可能にＸ軸スライダ５６の側面に設けられたＹ軸スライダ６０を有している。そのＹ軸スライダ６０は、電磁モータ（図示省略）の駆動により、Ｙ軸方向の任意の位置に移動する。そのＹ軸スライダ６０には、装着ヘッド３４が取り付けられている。このような構造により、装着ヘッド３４は、移動装置３２によってベース５４上の任意の位置に移動する。なお、装着ヘッド３４は、Ｙ軸スライダ６０に着脱可能とされており、作業に応じた作業ヘッドに交換可能とされている。
【００１４】
装着ヘッド３４は、回路基板４０に対して電子部品を装着するものである。装着ヘッド３４は、下端面に設けられた吸着ノズル７０を有している。吸着ノズル７０は、負圧エア，正圧エア通路を介して、正負圧供給装置（図示省略）に通じている。吸着ノズル７０は、負圧によって電子部品を吸着保持し、保持した電子部品を正圧によって離脱する。なお、吸着ノズル７０は、装着ヘッド３４に着脱可能とされており、保持対象の電子部品に応じた吸着ノズルに交換可能とされている。
【００１５】
供給装置３６は、フィーダ型の供給装置であり、複数のテープフィーダ７２を有している。テープフィーダ７２は、テープ化部品を巻回させた状態で収容している。テープ化部品は、電子部品がテーピング化されたものである。そして、テープフィーダ７２は、送り装置（図示省略）によって、テープ化部品を送り出す。これにより、フィーダ型の供給装置３６は、テープ化部品の送り出しによって、電子部品を供給位置において供給する。なお、テープフィーダ７２は、ベース５４に着脱可能に装着されており、電子部品の補給，交換等に対応することが可能とされている。
【００１６】
さらに、作業機２０は、表示装置（図３参照）７８を備えており、作業に関する情報が、表示装置に表示される。
【００１７】
＜対基板作業システムによる装着作業＞
対基板作業システム１０，１２，１４の各々では、上述した構成によって、回路基板４０に対する電子部品の装着作業が行われる。具体的には、例えば、対基板作業システム１０では、最も上流側に位置する作業機２０の搬送装置３０により、回路基板４０が作業位置まで搬送され、その位置において、基板保持装置によって固定的に保持される。また、テープフィーダ７２は、テープ化部品を送り出し、電子部品を供給位置において供給する。そして、装着ヘッド３４が、電子部品の供給位置の上方に移動し、吸着ノズル７０によって電子部品を吸着保持する。続いて、装着ヘッド３４は、回路基板の上方に移動し、保持している電子部品を回路基板上に装着する。その作業機２０による電子部品の装着作業が完了すると、下流側の作業機２０に、回路基板４０が搬送される。そして、その作業機２０において、上記装着作業と同様の作業が実行される。このようにして、各作業機２０で装着作業の完了した回路基板４０が、順次、下流側の作業機２０に搬送され、全ての作業機２０での装着作業が完了すると、作業機２０の下流側の作業機２２に、回路基板４０が搬送される。そして、その作業機２２においても、作業機２０と同様の装着作業が実行され、装着作業の完了した回路基板４０が、下流側の作業機２２に搬送される。そして、全ての作業機２２での装着作業が完了すると、全ての装着作業が完了した回路基板４０が、対基板作業システム１０の最も下流側の作業機２２から排出される。
【００１８】
なお、対基板作業システム１２，１４においても、対基板作業システム１０と同様の装着作業が行われる。ただし、対基板作業システム１２では、最も上流側の作業機２０から４台目の作業機２０と５台目の作業機２０との間に、コンベア装置２６が配設されている。これは、作業者が対基板作業システム１２の最上流側の作業機２０、若しくは、最下流側の作業機２２迄移動することなく、対基板作業システム１２の一方の側から他方の側に移動するためのものである。このため、対基板作業システム１２では、４台目の作業機２０から５台目の作業機２０に、回路基板４０が搬送される際には、コンベア装置２６を介して搬送される。
【００１９】
＜管理システムによる対基板作業システムの管理＞
対基板作業システム１０，１２，１４の各作業機２０，２２では、上述したように、テープフィーダ７２によって供給された電子部品が、吸着ノズル７０によって吸着保持され、その電子部品が回路基板上に装着される。このため、各作業機２０，２２では、電子部品の補給，交換、また、電子部品の交換等に応じて吸着ノズル７０の交換等を行う必要がある。このため、対基板作業システム１０，１２，１４では、電子部品の補給，交換、吸着ノズル７０の交換等の管理が、管理システム１００により行われている。以下に、管理システム１００について、詳しく説明する。
【００２０】
管理システム１００は、図３に示すように、ＰＣ（Personal Computerの略）１１０と
、管理制御装置１１２と、携帯端末１１４とによって構成されている。ＰＣ１１０は、コントローラ１２０と、キーボード１２２と、ディスプレイ１２４とを含む。キーボード１２２は、文字，数字等の記号を入力するためのものである。ディスプレイ１２４は、キーボード１２２等により入力された記号等を表示する。コントローラ１２０は、ＣＰＵ，ＲＯＭ，ＲＡＭ等を備え、コンピュータを主体とするものであり、キーボード１２２、ディスプレイ１２４に接続されている。これにより、キーボード１２２により入力された記号に応じた画像が、ディスプレイ１２４に表示される。
【００２１】
携帯端末１１４は、対基板作業システム１０，１２，１４に対して作業を行う作業者が携帯している端末であり、表示パネル１３０を有している。そして、この表示パネル１３０に、作業に関する情報が表示され、作業者は、その情報を確認することで、対基板作業システム１０，１２，１４に対して作業を行う。また、管理制御装置１１２は、対基板作業システム１０，１２，１４の各作業機２０，２２および、ＰＣ１１０のコントローラ１２０と接続されている。これにより、管理制御装置１１２は、各作業機２０，２２および、ＰＣ１１０から各種情報を取得する。さらに、管理制御装置１１２は、携帯端末１１４と無線通信により、データの送受信が可能とされている。これにより、管理制御装置１１２から送信されたデータに基づく画像が、携帯端末１１４の表示パネル１３０に表示される。
【００２２】
上記構造の管理システム１００では、対基板作業システム１０，１２，１４の全ての作業機２０，２２に、固有のＩＤナンバーが付されており、各作業機２０，２２の表示装置７８に、各作業機２０，２２に応じたＩＤナンバーが表示されている。そして、作業者への作業指示等は、そのＩＤナンバーを用いて行われる。詳しくは、まず、対基板作業システム１０，１２，１４の全ての作業機２０，２２毎に付されるＩＤナンバーの決定方法について説明する。
【００２３】
作業機２０，２２に付されるＩＤナンバーは、ＰＣ１１０において決定される。この際、作業者は、キーボード１２２を用いて、対基板作業システム１０，１２，１４毎に、作業機２０，２２の台数を入力する。作業機２０，２２の台数の入力は、対基板作業システム１０，１２，１４の各々を構成する複数の作業機を、複数の群に区分けした状態で、複数の群毎に行うことが可能である。具体的には、対基板作業システム１０では、対基板作業システム１０を構成する１６台の作業機２０，２２が、８台の作業機２０と８台の作業機２２とに区分けされる。つまり、対基板作業システム１０を構成する複数の作業機２０，２２が、作業機の種類、つまり、作業機２０と作業機２２との２群に区分けされる。そして、第１群目の作業機の台数が８台であり、第２群目の作業機の台数が８台である旨の情報が、キーボード１２２を用いて、ＰＣ１１０に入力される。
【００２４】
また、対基板作業システム１２では、対基板作業システム１２を構成する１５台の作業機２０，２２が、８台の作業機２０のうちの上流側の４台の作業機２０と、下流側の４台の作業機２０と、７台の作業機２２とに区分けされる。つまり、対基板作業システム１２を構成する複数の作業機２０，２２が、作業機の種類、つまり、作業機２０と作業機２２との２群に区分けされ、さらに、複数の作業機２０が、コンベア装置２６の上流側の作業機２０と、下流側の作業機２０との２群に区分けされる。つまり、隣接せずに、分離した状態で配設されている作業の群毎に区分けされる。そして、第１群目の作業機の台数が４台であり、第２群目の作業機の台数が４台であり、第３群目の作業機の台数が７台である旨の情報が、キーボード１２２を用いて、ＰＣ１１０に入力される。
【００２５】
また、対基板作業システム１４では、対基板作業システム１４を構成する１４台の作業機２０は、１種類であり、対基板作業システム１２のように分離した状態で配設される作業機はない。このため、対基板作業システム１４では、複数の作業機２０は区分けされず、１群の作業機として、作業機の台数が１４台である旨の情報が、キーボード１２２を用いて、ＰＣ１１０に入力される。
【００２６】
対基板作業システム１０，１２，１４毎に、作業機２０，２２の台数がＰＣ１１０に入力されると、入力された作業機の台数の情報に基づいて、対基板作業システム１０，１２，１４を構成する作業機２０，２２に関する情報が、図４に示すように、ツリー形式でディスプレイ１２４に表示される。具体的には、ディスプレイ１２４に表示される「ラインＡ」は、対基板作業システム１０を意味しており、「ラインＡ」の「マシンａ」は、対基板作業システム１０の第１群目の作業機、つまり、８台の作業機２０を意味している。そして、その「マシンａ」の「モジュール」は、それら８台の作業機２０の各々を意味しているため、「マシンａ」の「モジュール」は８個存在する。（図では、スペースの都合上、３個しか記されていない。）また、「ラインＡ」の「マシンｂ」は、対基板作業システム１０の第２群目の作業機、つまり、８台の作業機２２を意味している。そして、その「マシンｂ」の「モジュール」は、それら８台の作業機２２の各々を意味しているため、その「マシンｂ」の「モジュール」は８個存在する。（図では、スペースの都合上、３個しか記されていない。）
【００２７】
また、ディスプレイ１２４に表示される「ラインＢ」は、対基板作業システム１２を意味しており、「ラインＢ」の「マシンａ」は、対基板作業システム１２の第１群目の作業機、つまり、８台の作業機２０のうちのコンベア装置２６の上流側の４台の作業機２０を意味している。そして、その「マシンａ」の「モジュール」は、それら４台の作業機２０の各々を意味しているため、その「マシンａ」の「モジュール」は４個存在する。（図では、スペースの都合上、２個しか記されていない。）また、「ラインＢ」の「マシンｂ」は、対基板作業システム１２の第２群目の作業機、つまり、８台の作業機２０のうちのコンベア装置２６の下流側の４台の作業機２０を意味している。そして、その「マシンｂ」の「モジュール」は、それら４台の作業機２０の各々を意味しているため、その「マシンｂ」の「モジュール」は４個存在する。（図では、スペースの都合上、２個しか記されていない。）さらに、「ラインＢ」の「マシンｃ」は、対基板作業システム１２の第３群目の作業機、つまり、７台の作業機２２を意味している。そして、その「マシンｃ」の「モジュール」は、それら７台の作業機２２の各々を意味しているため、その「マシンｃ」の「モジュール」は７個存在する。（図では、スペースの都合上、２個しか記されていない。）
【００２８】
また、ディスプレイ１２４に表示される「ラインＣ」は、対基板作業システム１４を意味しており、「ラインＣ」の「マシンａ」は、対基板作業システム１４の全ての作業機２０、つまり、１４台の作業機２０を意味している。そして、その「マシンａ」の「モジュール」は、それら１４台の作業機２０の各々を意味しているため、その「マシンａ」の「モジュール」は１４個存在する。（図では、スペースの都合上、３個しか記されていない。）なお、各「モジュール」の右隣には、ＩＤナンバーを表示するための表示欄が表示されている。
【００２９】
そして、ディスプレイ１２４に、上述したように、対基板作業システム１０，１２，１４を構成する作業機２０，２２に関する情報がツリー形式で表示された後に、一括して、作業機２０，２２のＩＤナンバーを決定するためのボタンが操作されると、ＰＣ１１０のコントローラ１２０によりＩＤナンバーが決定され、決定されたＩＤナンバーが各「モジュール」の右隣の表示欄に表示される。詳しくは、「ラインＡ」の１６個の「モジュール」のうちの最上段の「モジュール」、つまり、対基板作業システム１０を構成する１６台の作業機２０，２２の最も上流側の作業機２０に対して、例えば、ＩＤナンバー「１」が決定される。そして、その作業機２０の下流側の各作業機２０，２２に対して、下流側に位置するほど、順次、番号が１ずつ大きくなるように、ＩＤナンバーが決定される。「ラインＡ」の１６個の「モジュール」、つまり、対基板作業システム１０の１６台の作業機２０，２２の全てに個別のＩＤナンバーが決定されると、その決定されたＩＤナンバーが、図５に示すように、「ラインＡ」の「モジュール」の右隣の表示欄に表示される。
【００３０】
また、「ラインＢ」の１５個の「モジュール」のうちの最上段の「モジュール」、つまり、対基板作業システム１２を構成する１５台の作業機２０，２２の最も上流側の作業機２０に対して、「ラインＡ」の「モジュール」に決定されたＩＤナンバーより大きい番号、例えば、ＩＤナンバー「２１」が決定される。そして、その作業機２０の下流側の各作業機２０，２２に対して、下流側に位置するほど、順次、番号が１ずつ大きくなるように、ＩＤナンバーが決定される。「ラインＢ」の１５個の「モジュール」、つまり、対基板作業システム１２の１５台の作業機２０，２２の全てに個別のＩＤナンバーが決定されると、その決定されたＩＤナンバーが、図５に示すように、「ラインＢ」の「モジュール」の右隣の表示欄に表示される。
【００３１】
また、「ラインＣ」の１４個の「モジュール」のうちの最上段の「モジュール」、つまり、対基板作業システム１４を構成する１４台の作業機２０の最も上流側の作業機２０に対して、「ラインＢ」の「モジュール」に決定されたＩＤナンバーより大きい番号、例えば、ＩＤナンバー「４１」が決定される。そして、その作業機２０の下流側の各作業機２０に対して、下流側に位置するほど、順次、番号が１ずつ大きくなるように、ＩＤナンバーが決定される。「ラインＣ」の１４個の「モジュール」、つまり、対基板作業システム１４の１４台の作業機２０の全てに個別のＩＤナンバーが決定されると、その決定されたＩＤナンバーが、図５に示すように、「ラインＣ」の「モジュール」の右隣の表示欄に表示される。
【００３２】
このように、ＰＣ１１０では、対基板作業システム１０，１２，１４の全ての作業機２０，２２に対して、個別のＩＤナンバーを一括して決定することが可能である。また、ＰＣ１１０では、対基板作業システム１０，１２，１４の複数の群毎に、各郡の作業機のうちの最も上流側の作業機（以下、「最上流側作業機」と記載する場合がある）、つまり、「ライン」の「マシン」毎に、各「マシン」の「モジュール」のうちの最上段の「モジュール」に対して、作業者が、任意のＩＤナンバーを付与することが可能である。そして、ＰＣ１１０は、作業者が付与したＩＤナンバーに基づいて、最上流側作業機以外の作業機のＩＤナンバーを決定する。
【００３３】
詳しくは、作業者は、「ライン」の「マシン」毎に、各「マシン」の「モジュール」のうちの最上段の「モジュール」の右隣の表示欄に、任意の番号を入力する。具体的には、例えば、作業者は、図６に示すように、「ラインＡ」の「マシンａ」の複数の「モジュール」のうちの最上段の「モジュール」の右隣の表示欄に、「１０１」を入力する。次に、作業者は、「ラインＡ」の「マシンｂ」の複数の「モジュール」のうちの最上段の「モジュール」の右隣の表示欄に、「ラインＡ」の「マシンａ」の最上段の「モジュール」の表示欄に入力された番号（１０１）と、その「マシンａ」の「モジュール」の個数（８個）とを加えた数値（１０９）より大きな番号、例えば、「１１０」を入力する。これにより、「ラインＡ」の「マシンａ」の「モジュール」に付されるＩＤナンバーと、「ラインＡ」の「マシンｂ」の「モジュール」に付されるＩＤナンバーとの重複が防止される。
【００３４】
また、作業者は、「ラインＢ」の「マシンａ」の複数の「モジュール」のうちの最上段の「モジュール」の右隣の表示欄に、ＩＤナンバーの重複を防止するべく、「ラインＡ」の「マシンｂ」の最上段の「モジュール」の表示欄に入力された番号（１１０）と、その「マシンｂ」の「モジュール」の個数（８個）とを加えた数値（１１８）より大きな番号、例えば、「２０１」を入力する。次に、作業者は、「ラインＢ」の「マシンｂ」の複数の「モジュール」のうちの最上段の「モジュール」の右隣の表示欄に、ＩＤナンバーの重複を防止するべく、「ラインＢ」の「マシンａ」の最上段の「モジュール」の表示欄に入力された番号（２０１）と、その「マシンａ」の「モジュール」の個数（４個）とを加えた数値（２０５）より大きな番号、例えば、「２１０」を入力する。さらに、作業者は、「ラインＢ」の「マシンｃ」の複数の「モジュール」のうちの最上段の「モジュール」の右隣の表示欄に、ＩＤナンバーの重複を防止するべく、「ラインＢ」の「マシンｂ」の最上段の「モジュール」の表示欄に入力された番号（２１０）と、その「マシンｂ」の「モジュール」の個数（４個）とを加えた数値（２１４）より大きな番号、例えば、「２２０」を入力する。
【００３５】
また、作業者は、「ラインＣ」の「マシンａ」の複数の「モジュール」のうちの最上段の「モジュール」の右隣の表示欄に、ＩＤナンバーの重複を防止するべく、「ラインＢ」の「マシンｃ」の最上段の「モジュール」の表示欄に入力された番号（２２０）と、その「マシンｃ」の「モジュール」の個数（７個）とを加えた数値（２２７）より大きな番号、例えば、「３０１」を入力する。
【００３６】
表示欄への番号の入力が完了すると、作業者は、完了ボタンを操作する。これにより、ＰＣ１１０は、表示欄に入力された番号を、その表示欄に応じたモジュール、つまり、対基板作業システム１０，１２，１４の複数の群の各々の最上流側作業機のＩＤナンバーとして決定する。具体的には、図１にしめす対基板作業システム１０の８台の作業機２０のうちの最上流側作業機のＩＤナンバーが「１０１」に、８台の作業機２２のうちの最上流側作業機のＩＤナンバーが「１１０」に、決定される。また、対基板作業システム１２の８台の作業機２０のコンベア装置２６の上流側の４台の作業機２０のうちの最上流側作業機のＩＤナンバーが「２０１」に、８台の作業機２０のコンベア装置２６の下流側の４台の作業機２０のうちの最上流側作業機のＩＤナンバーが「２１０」に、７台の作業機２２のうちの最上流側作業機のＩＤナンバーが「２２０」に、決定される。さらに、対基板作業システム１４の１４台の作業機２０のうちの最上流側作業機のＩＤナンバーが「３０１」に決定される。
【００３７】
対基板作業システム１０，１２，１４の複数の群の各々の最上流側作業機のＩＤナンバーが決定されると、各最上流側作業機の下流側の各作業機に対して、下流側に位置するほど、順次、最上流側作業機のＩＤナンバーより番号が１ずつ大きくなるように、ＩＤナンバーが決定される。具体的には、対基板作業システム１０において、ＩＤナンバーが「１０１」に決定された最上流側作業機の下流側の７台の作業機２０に対して、上流側から、ＩＤナンバーが「１０２」〜「１０８」に決定される。次に、対基板作業システム１０において、ＩＤナンバーが「１１０」に決定された最上流側作業機の下流側の７台の作業機２２に対して、上流側から、ＩＤナンバーが「１１１」〜「１１７」に決定される。
【００３８】
また、対基板作業システム１２において、ＩＤナンバーが「２０１」に決定された最上流側作業機の下流側の３台の作業機２０に対して、上流側から、ＩＤナンバーが「２０２」〜「２０４」に決定される。次に、対基板作業システム１２において、ＩＤナンバーが「２１０」に決定された最上流側作業機の下流側の３台の作業機２０に対して、上流側から、ＩＤナンバーが「２１１」〜「２１３」に決定される。さらに、対基板作業システム１２において、ＩＤナンバーが「２２０」に決定された最上流側作業機の下流側の６台の作業機２２に対して、上流側から、ＩＤナンバーが「２２１」〜「２２６」に決定される。
【００３９】
また、対基板作業システム１４において、ＩＤナンバーが「３０１」に決定された最上流側作業機の下流側の１３台の作業機２０に対して、上流側から、ＩＤナンバーが「３０２」〜「３１４」に決定される。そして、対基板作業システム１０，１２，１４の作業機２０，２２の全てに個別のＩＤナンバーが決定されると、その決定されたＩＤナンバーが、図７に示すように、各「モジュール」の右隣の表示欄に表示される。
【００４０】
さらに、ＰＣ１１０において、対基板作業システム１０，１２，１４の作業機２０，２２の全てに個別のＩＤナンバーが決定されると、ＰＣ１１０は、決定されたＩＤナンバーと、そのＩＤナンバーに応じた作業機２０，２２とを関連付けた状態で、管理制御装置１１２に送信する。そして、管理制御装置１１２は、ＩＤナンバーを受信すると、受信したＩＤナンバーを、そのＩＤナンバーに関連付けられている作業機２０，２２に送信する。各作業機２０，２２では、ＩＤナンバーを受信すると、受信したＩＤナンバーを、表示装置７８の所定の位置に、常時、表示する。また、各作業機２０，２２では、受信したＩＤナンバーが、記憶装置（図示省略）に記憶され、そのＩＤナンバーを用いて、作業に関する情報が、各作業機２０，２２から管理制御装置１１２に送信される。
【００４１】
具体的には、例えば、全ての対基板作業システム１０，１２，１４において、装着作業が実行されている際に、対基板作業システム１０，１２，１４の全ての作業機２０，２２の各々から、その各々で回路基板に装着された電子部品に関する情報が、管理制御装置１１２に送信される。その際、電子部品に関する情報とともに、各作業機２０，２２のＩＤナンバーも、管理制御装置１１２に送信される。管理制御装置１１２は、電子部品に関する情報を受信すると、作業機毎に、作業機で使用された電子部品の数を管理している。これにより、管理制御装置１１２では、電子部品の補給を行うべき作業機が特定される。
【００４２】
そして、電子部品の補給を行うべき作業機が特定されると、管理制御装置１１２は、所定の作業機２０，２２への電子部品の補給を促す情報を、携帯端末１１４に送信する。この際、管理制御装置１１２は、電子部品の補給を促す情報とともに、その電子部品の補給の対象となる作業機２０，２２のＩＤナンバーも携帯端末１１４に送信する。そして、携帯端末１１４は、電子部品の補給を促す情報とＩＤナンバーとを受信すると、ＩＤナンバーと、そのＩＤナンバーに対応する作業機への補給を促す画面を、表示パネル１３０に表示する。
【００４３】
作業者は、その表示パネル１３０の確認により、表示されているＩＤナンバーに対応する作業機２０，２２に電子部品を補給する必要があることを認知する。この際、作業者は、ＩＤナンバーにより、作業対象の作業機２０，２２を容易に特定することが可能である。詳しくは、例えば、対基板作業システム１０，１２，１４の複数の作業機が複数の群毎に区分けされ、複数の群毎にＩＤナンバーが決定されている場合について説明する。そのような場合に、表示パネル１３０に、ＩＤナンバー「２１２」が表示されると、作業者は、「ラインＢ」の２群目の「モジュール」、つまり、対基板作業システム１２の８台の作業機２０のうちのコンベア装置２６の下流側の作業機２０が、作業対象の作業機であると想定する。
【００４４】
これは、２００番台のＩＤナンバーは、対基板作業システム１２の作業機２０，２２に設定されており、２１０番台のＩＤナンバーは、対基板作業システム１２を構成する２群目の作業機２０、つまり、対基板作業システム１２の８台の作業機２０のうちのコンベア装置２６の下流側の作業機２０に設定されていることを、作業者は、ＩＤナンバー設定時に知っているためである。このため、作業者は、対基板作業システム１２の８台の作業機２０のうちのコンベア装置２６の下流側の作業機２０に接近する。そして、コンベア装置２６の下流側の作業機２０の表示装置７８を見て、その表示装置７８に、ＩＤナンバー「２１２」が表示されている作業機２０を、作業対象の作業機であると特定する。このように、管理システム１００によれば、数多くの作業機２０，２２の中から、特定の作業機を容易に特定することが可能となる。
【００４５】
また、ＩＤナンバーの設定等を行っていない作業者であっても、各作業機２０，２２の表示装置７８に表示されているＩＤナンバーにより、作業対象の作業機を、比較的容易に特定することが可能である。詳しくは、ＩＤナンバーは、対基板作業システム１０，１２，１４毎に、ある程度、近似している番号が付されている。また、上流側の作業機２０，２２から下流側の作業機２０，２２に向かって、ＩＤナンバーは、順次、大きくなっている。このため、作業者が、各作業機２０，２２の表示装置７８に表示されているＩＤナンバーを確認し、作業対象の作業機のＩＤナンバーと近似しているか否かを判定する。そして、表示装置７８に表示されているＩＤナンバーが、作業対象の作業機のＩＤナンバーと近似していない場合には、確認した作業機の対基板作業システムと異なる対基板作業システムに移動する。また、表示装置７８に表示されているＩＤナンバーが、作業対象の作業機のＩＤナンバーと近似しており、作業対象の作業機のＩＤナンバーより大きい場合には、作業者は、上流側に移動する。一方、表示装置７８に表示されているＩＤナンバーが、作業対象の作業機のＩＤナンバーと近似しており、作業対象の作業機のＩＤナンバーより小さい場合には、作業者は、下流側に移動する。これにより、作業者は、作業対象の作業機を、比較的容易に特定することが可能となる。
【００４６】
また、ＰＣ１１０のコントローラ１２０は、図３に示すように、台数受付部１５０と番号受付部１５２と決定部１５４とを有している。台数受付部１５０は、対基板作業システム１０，１２毎の作業機２０，２２の台数の入力を受け付ける機能部である。番号受付部１５２は、対基板作業システム１０，１２，１４の作業機２０，２２が複数の群に区分けされた場合に、それら複数の群毎の最上流側作業機へのＩＤナンバーの付与、つまり、ディスプレイ１２４での「ライン」の「マシン」毎に、各「マシン」の「モジュール」のうちの最上段の「モジュール」に対する番号の入力を受け付ける機能部である。決定部１５４は、対基板作業システム１０，１２，１４の作業機２０，２２毎のＩＤナンバーを決定する機能部である。
【００４７】
なお、対基板作業システム１０，１２，１４は、対基板作業システムの一例である。作業機２０，２２は、作業機の一例である。表示装置７８は、表示装置の一例である。ＰＣ１１０は、情報処理装置の一例である。台数受付部１５０は、台数受付部の一例である。番号受付部１５２は、番号受付部の一例である。決定部１５４は、決定部の一例である。
【００４８】
また、本発明は、上記実施例に限定されるものではなく、当業者の知識に基づいて種々の変更、改良を施した種々の態様で実施することが可能である。具体的には、例えば、上記実施例では、各作業機２０，２２に付される固有のコードとして、ＩＤナンバーが採用されているが、アルファベット等の記号を採用することが可能である。
【００４９】
また、上記実施例では、対基板作業システム１０，１２，１４の作業機２０，２２の台数が、ＰＣ１１０のキーボード１２２によって入力されているが、台数を直接的に入力するのではなく、対基板作業システム１０，１２，１４の作業機２０，２２の名前，型番等を登録することで、ＰＣ１１０が作業機２０，２２の台数を取得することも可能である。つまり、ＰＣ１１０は、登録された作業機２０，２２の名前，型番等に基づいて、対基板作業システム１０，１２，１４を構成する作業機２０，２２の台数を演算し、その演算された台数を、取得することが可能である。
【００５０】
また、上記実施例では、各作業機２０，２２の表示装置７８は、常時、ＩＤナンバーを表示しているが、必要に応じて、ＩＤナンバーを表示することが可能である。例えば、作業機２０，２２にエラーが生じた場合、作業機２０，２２において電子部品の交換，補給等が必要な場合等に、表示装置７８はＩＤナンバーを表示することが可能である。
【００５１】
また、上記実施例では、対基板作業システム１０，１２，１４を構成する作業機として、回路基板に電子部品を装着する装着機が採用されているが、回路基板にはんだ等を印刷する印刷機、回路基板の検査を行う検査機、回路基板に対して所定の処理を行う処理機等を採用することが可能である。
【符号の説明】
【００５２】
１０：対基板作業システム    １２：対基板作業システム    １４：対基板作業システム    ２０：作業機    ２２：作業機    ７８：表示装置    １１０：ＰＣ（情報処理装置）    １５０：台数受付部    １５２：番号受付部    １５４：決定部
【図１】
0006463157.tif 000002
【図２】
0006463157.tif 000003
【図３】
0006463157.tif 000004
【図４】
0006463157.tif 000005
【図５】
0006463157.tif 000006
【図６】
0006463157.tif 000007
【図７】
0006463157.tif 000008